(57)【要約】【課題】差し込み片を差し込み孔に差し込み易く、しかも一旦差し込むと抜け難く梱包状態を安定して確保することができる梱包ケースを提供する。【解決手段】２つの内フラップ１５，１６を収容スペースＳを覆うように内側に折り曲げた状態で係止部２２が互いに間隔をあけて対向し、この状態で差し込み孔１９を有する外フラップ１４を２つの内フラップ１５，１６を覆うように内側に折り曲げ、さらに、この外フラップ１４を覆うように差し込み片１８を有する外フラップ１３を内側に折り曲げて、差し込み片１８を差し込み孔１９に外側から差し込んで係止部２２を押圧しながら通過させて係止部２２に裏側から係止させる。【選択図】図１３
2017100750.tif 000002
【特許請求の範囲】
【請求項１】
段ボールを折れ線に沿って折り曲げて組み立てられる梱包ケースであって、
４つの第１〜第４周面部からなり内部に収容スペースが形成された角筒状のケース本体と、
該ケース本体の互いに対向する第１及び第３周面部に形成された２つの外フラップと、
上記ケース本体の互いに対向する第２及び第４周面部に形成された２つの内フラップとを備え、
上記２つの外フラップのうち一方の外フラップには、差し込み片が突設されているとともに、他方の外フラップには、上記差し込み片が差し込まれるスリット状の差し込み孔が形成され、
上記２つの内フラップには、上記差し込み片が係止する係止部がそれぞれ形成され、
上記２つの内フラップを収容スペースを覆うように内側に折り曲げた状態で上記係止部が互いに間隔をあけて対向し、この状態で上記差し込み孔を有する外フラップを上記２つの内フラップを覆うように内側に折り曲げ、さらに、この外フラップを覆うように上記差し込み片を有する外フラップを内側に折り曲げて、上記差し込み片を上記差し込み孔に外側から差し込んで上記係止部を押圧しながら通過させて該係止部に裏側から係止させる、梱包ケース。
【請求項２】
請求項１に記載の梱包ケースにおいて、
上記２つの内フラップには、上記係止部が撓み易いように切り込み部が形成されている、梱包ケース。
【請求項３】
請求項１又は２に記載の梱包ケースにおいて、
上記差し込み片の幅は、上記係止部の間隔よりも大きい、梱包ケース。
【発明の詳細な説明】
【技術分野】
【０００１】
本発明は、段ボールを折れ線に沿って折り曲げて組み立てられる梱包ケースに関する。
【背景技術】
【０００２】
本出願人は、内部に梱包物を収納する梱包ケースとして、特許文献１に開示されているような梱包ケースを開発し出願している。この梱包ケースは、段ボールを折れ線に沿って折り曲げて収容スペースを形成し、互いに対向する２つのフラップのうち、差し込み孔が形成された一方のフラップを収容スペースを覆うように内側に折り曲げ、この状態で、このフラップを覆うように他方のフラップを内側に折り曲げて、他方のフラップに突設された差し込み片を一方のフラップの差し込み孔に外側から差し込んで梱包物を収容スペースに収容するようにしている。
【０００３】
そして、この梱包ケースでは、梱包物を収容スペースに収容した後は、差し込み片が差し込み孔から抜けないように、差し込み孔を略円弧状のスリットに形成し、差し込み片を差し込み孔の形状に沿って変形させながら差し込み孔に差し込み、差し込み孔を通過した差し込み片を元の形状に復帰させて差し込み孔周縁に裏側から係止させるようにしている。
【先行技術文献】
【特許文献】
【０００４】
【特許文献１】特開２０１５−１２３９９９号公報
【発明の概要】
【発明が解決しようとする課題】
【０００５】
しかし、上記の特許文献１では、段ボールの硬度や差し込み孔の形状如何によっては、差し込み片を差し込み孔に差し込む際、差し込み片が差し込み孔の形状に沿って変形し難く、テクニックを要することが考えられる。また、差し込み孔を通過した差し込み片が元の形状に復帰し難い場合もあり、差し込み片の差し込み孔周縁への係止状態が不安定になり、振動や衝撃により差し込み片が差し込み孔から抜けてフラップが簡単に開いてしまうことも考えられる。
【０００６】
本発明はかかる点に鑑みてなされたものであり、その目的とするところは、差し込み片を差し込み孔に差し込み易く、しかも一旦差し込むと抜け難く梱包状態を安定して確保することができる梱包ケースを提供することである。
【課題を解決するための手段】
【０００７】
本発明に係る梱包材は、段ボールを折れ線に沿って折り曲げて組み立てられる梱包ケースであって、４つの第１〜第４周面部からなり内部に収容スペースが形成された角筒状のケース本体と、該ケース本体の互いに対向する第１及び第３周面部に形成された２つの外フラップと、上記ケース本体の互いに対向する第２及び第４周面部に形成された２つの内フラップとを備え、上記２つの外フラップのうち一方の外フラップには、差し込み片が突設されているとともに、他方の外フラップには、上記差し込み片が差し込まれるスリット状の差し込み孔が形成され、上記２つの内フラップには、上記差し込み片が係止する係止部がそれぞれ形成され、上記２つの内フラップを収容スペースを覆うように内側に折り曲げた状態で上記係止部が互いに間隔をあけて対向し、この状態で上記差し込み孔を有する外フラップを上記２つの内フラップを覆うように内側に折り曲げ、さらに、この外フラップを覆うように上記差し込み片を有する外フラップを内側に折り曲げて、上記差し込み片を上記差し込み孔に外側から差し込んで上記係止部を押圧しながら通過させて該係止部に裏側から係止させる。
【０００８】
これによれば、特許文献１の如き差し込み片を差し込み孔の形状に沿って変形させる必要がなく、単に差し込み片を差し込み孔に差し込むだけで差し込み片が係止部を押圧しながら通過し、係止部に裏側から係止するので、段ボールの硬度や差し込み孔の形状に関係なく差し込み片を差し込み孔に差し込み易く、しかも一旦差し込むと振動や衝撃があっても抜け難く梱包状態を安定して確保することができる。また、差し込み片の係止箇所は外部から見えないため、防犯対策にもなる。
【０００９】
この場合、上記２つの内フラップには、上記係止部が撓み易いように切り込み部が形成されていることが望ましい。
【００１０】
これによれば、差し込み片が係止部間をスムーズに通過し、差し込み片の押し込み操作が楽になるとともに、差し込み片の係止部への係止が確実になる。
【００１１】
また、上記差し込み片の幅は、上記係止部の間隔よりも大きいことが望ましい。
【００１２】
これらによれば、差し込み片が係止部に一旦係止すると抜け難くなる。
【発明の効果】
【００１３】
本発明によれば、段ボールの硬度や差し込み孔の形状に関係なく差し込み片を差し込み孔に差し込み易くすることができる。さらに、振動や衝撃があっても抜け難く梱包状態の安定化を達成することができる。また、差し込み片の係止箇所が外部から見えず、防犯対策にもなる。
【図面の簡単な説明】
【００１４】
【図１】図１は、本発明の実施形態に係る梱包ケースの展開図である。
【図２】図２は、図１の要部拡大図である。
【図３】図３は、本発明の実施形態に係る梱包ケースにおいて、ケース本体を形成した状態を示す組み立て工程図である。
【図４】図４は、本発明の実施形態に係る梱包ケースにおいて、ケース本体の一方の開口を閉じた状態を示す組み立て工程図である。
【図５】図５は、本発明の実施形態に係る梱包ケースにおいて、ケース本体の他方の開口側の内フラップを内側に折り曲げた状態を示す組み立て工程図である。
【図６】図６は、本発明の実施形態に係る梱包ケースにおいて、差し込み片の幅と内フラップの係止部の間隔との寸法関係を説明する説明図である。
【図７】図７は、本発明の実施形態に係る梱包ケースにおいて、図５の状態から差し込み片を有する外フラップを内側に折り曲げた状態を示す組み立て工程図である。
【図８】図８は、本発明の実施形態に係る梱包ケースにおいて、図７の状態から差し込み孔を有する外フラップを内側に折り曲げてケース本体の他方の開口を閉じた状態を示す組み立て工程図（組み立て完成図）である。
【図９】図９は、本発明の実施形態に係る梱包ケースを開ける際に破断部を取っている状態を示す斜視図である。
【図１０】図１０は、本発明の実施形態に係る梱包ケースを開けた状態を示す斜視図である。
【図１１】図１１は、本発明の実施形態に係る梱包ケースにおいて、開梱した梱包ケースを利用して使用済みの部材を収納した状態を示す斜視図である。
【図１２】図１２は、図１１のＸII―ＸII線における断面図である。
【図１３】図１３は、図１１の内部を底部側から視た斜視図である。
【発明を実施するための形態】
【００１５】
以下、本発明の実施形態を図面に基づいて詳細に説明する。なお、本発明は、以下の実施形態に限定されるものではない。
【００１６】
図９及び図１１は、本発明の実施形態に係る梱包ケース１を示す。この梱包ケース１は、例えば、紙段ボールや、ポリプロピレン製のプラスチック段ボール（プラ段）からなる段ボールを折り曲げて組み立てられている。梱包ケース１ に収容される梱包物としては、例えば、画像形成装置におけるメインチャージャー、転写チャージャー、トナーカートリッジ、ゴムローラ等の細長い部材（製品）であるが、これに限らない。
【００１７】
梱包ケース１は、４つの第１〜第４周面部２〜５からなる角筒状のケース本体６を備え、ケース本体６の内部には、収容スペースＳが形成されている。
【００１８】
図１は、この梱包ケース１の展開図であり、第４周面部５には、接着代部５ａが付設されている。第１周面部２と第２周面部３の境目、第２周面部３と第３周面部４の境目、第３周面部４と第４周面部５の境目、及び第４周面部５と接着代部５ａとの境目には、それぞれ折れ線７が形成されている。そして、第１〜第４周面部２〜５及び接着代部５ａを４つの折れ線７に沿ってそれぞれ折り曲げ、接着代部５ａを第１周面部２の内面に糊付け等により接着することで内部に収容スペースＳを有するケース本体６が角筒状に組み立てられる（図３参照）。この組み立て状態で、第１周面部２と第３周面部４とが互いに対向し、第２周面部３と第４周面部５とが互いに対向している。
【００１９】
第１及び第３周面部２，４の一端（図１〜図３で下端）には、２つの外フラップ８，９が形成されている。第２及び第４周面部３，５の一端（図１〜図３で下端）には、２つの内フラップ１０，１１が形成されている。これら外フラップ８，９及び内フラップ１０，１１と第１〜第４周面部２〜５との境目にも、それぞれ折れ線１２が形成されている。そして、内フラップ１０，１１を折れ線１２に沿って収容スペースＳを覆うようにケース本体６内側に折り曲げ、さらに、外フラップ８，９を折れ線１２に沿って２つの内フラップ１０，１１を覆うようにケース本体６内側に折り曲げ、その後、外フラップ８，９同士を糊付け等により接着することでケース本体６の一方の開口を閉じる（図４参照）。
【００２０】
一方、第１及び第３周面部２，４の他端（図１〜図３で上端）にも、２つの外フラップ１３，１４が形成されている。第２及び第４周面部３，５の他端（図１〜図３で上端）にも、２つの内フラップ１５，１６が形成されている。これら外フラップ１３，１４及び内フラップ１５，１６と第１〜第４周面部２〜５との境目にも、それぞれ折れ線１７が形成されている。
【００２１】
２つの外フラップ１３，１４のうち一方（第１周面部２側）の外フラップ１３には、図２に拡大して示すように、略Ｔ字形状の差し込み片１８が突設されているとともに、他方（第３周面部４側）の外フラップ１４には、差し込み片１８が差し込まれるスリット状の差し込み孔１９が横方向に真っ直ぐに形成されている。また、外フラップ１４には、破断線２０が差し込み孔１９に沿うように２列に形成され、２つの破断線２０間に破断部２１が形成されている。
【００２２】
２つの内フラップ１５，１６には、差し込み片１８が係止する係止部２２がそれぞれ形成されているとともに、係止部２２が撓み易いように切り込み部２３が形成されている。２つの内フラップ１５，１６の係止部２２は、内フラップ１５，１６を収容スペースＳを覆うようにケース本体６内側に折り曲げた状態で互いに間隔をあけて対向し、図６に示すように、差し込み片１８の幅Ｗ１は、係止部２２の間隔Ｗ２よりも大きく設定されている。
【００２３】
そして、内フラップ１５，１６を折れ線１７に沿って収容スペースＳを覆うようにケース本体６内側に折り曲げた状態（図５参照）で、差し込み片１８を有する外フラップ１３を折れ線１７に沿って２つの内フラップ１５，１６を覆うようにケース本体６内側に折り曲げる（図７参照）。
【００２４】
さらに、差し込み孔１９を有する外フラップ１４を折れ線１７に沿って外フラップ１３を覆うようにケース本体６内側に折り曲げる（図８参照）。これにより、ケース本体６の他方の開口も閉じられ、梱包ケース１の組み立てが完成する。
【００２５】
なお、梱包ケース１を開けて梱包物を取り出す際には、図９に示すように、破断部２１を破断線２０から引き千切り、外フラップ１４と先端部１４ａが残った状態の外フラップ１３を起こした後（図１０参照）、内フラップ１５，１６を起こして梱包ケース１を開け、梱包物を梱包ケース１（ケース本体６）から取り出す。
【００２６】
また、梱包ケース１から新品の梱包物を取り出して使用済みの部材と交換した場合に、使用済みの部材を開梱した後の梱包ケース１に収納することが可能である。この際には、図７、図８とは逆に内フラップ１５，１６を覆うように外フラップ１４を先に内側に折り曲げて、外フラップ１４を覆うように外フラップ１３を折り曲げる。そして、差し込み片１８を差し込み孔１９に外側から差し込んで２つの係止部２２を押圧しながら通過させて係止部２２に裏側から係止させる（図１１〜図１３参照）。これにより、ケース本体６の他方の開口を再び閉じることができる。よって、余計な部材を必要とせずに開梱した梱包ケース１を利用して使用済みの部材を収納して、簡単に回収や処分することが可能である。
【００２７】
ところで、差し込み片が差し込み孔から抜けないように、差し込み孔を略円弧状のスリットに形成し、差し込み片を差し込み孔の形状に沿って変形させながら差し込み孔に差し込み、差し込み孔を通過した差し込み片を元の形状に復帰させて差し込み孔周縁に裏側から係止させると、段ボールの硬度や差し込み孔の形状如何によっては、差し込み片を差し込み孔に差し込む際、差し込み片が差し込み孔の形状に沿って変形し難く、テクニックを要することが考えられる。また、差し込み孔を通過した差し込み片が元の形状に復帰し難い場合もあり、差し込み片の差し込み孔周縁への係止状態が不安定になり、振動や衝撃により差し込み片が差し込み孔から抜けてフラップが簡単に開いてしまうことも考えられる。
【００２８】
しかし、本実施形態では、２つの内フラップ１５，１６を収容スペースＳを覆うように内側に折り曲げた状態で、差し込み孔１９を有する外フラップ１４を折り曲げて２つの内フラップ１５，１６を覆い、さらに、この外フラップ１４を覆うように差し込み片１８を有する外フラップ１３を内側に折り曲げて、差し込み片１８を差し込み孔１９に外側から差し込んで、２つの間隔をあけて互いに対向する係止部２２を押圧しながら通過させて係止部２２に裏側から係止させるようにしている。
【００２９】
したがって、単に差し込み片１８を差し込み孔１９に差し込むだけで係止部２２の裏側に係止させるので、上述の如き差し込み片を差し込み孔の形状に沿って変形させる必要がなく、段ボールの硬度や差し込み孔の形状に関係なく差し込み片１８を差し込み孔１９に差し込み易く、しかも一旦差し込むと振動や衝撃があっても抜け難く梱包状態を確実に安定させることができる。また、差し込み片１８の係止箇所が外部から見えず、防犯対策をも施すことができる。
【００３０】
また、差し込み片１８が係止部２２を押圧すると、係止部２２が切り込み部２３があることで容易に撓む。これにより、差し込み片１８が係止部２２間をスムーズに通過し、差し込み片１８を楽に押し込むことができ、かつ差し込み片１８を係止部２２に確実に係止させることができる。
【００３１】
さらに、幅差し込み片１８の幅Ｗ１が、係止部２２の間隔Ｗ２よりも大きいことから、差し込み片１８の係止部２２からの不意の離脱を防止することができる。
【産業上の利用可能性】
【００３２】
以上説明したように、本発明は、段ボールを折れ線に沿って折り曲げて組み立てられる梱包ケースについて有用である。
【符号の説明】
【００３３】
１              梱包ケース
２              第１周面部
３              第２周面部
４              第３周面部
５              第４周面部
６              ケース本体
７，１２，１７  折れ線
１３，１４      外フラップ
１５，１６      内フラップ
１８            差し込み片
１９            差し込み孔
２２            係止部
２３            切り込み部
Ｓ              収容スペース
Ｗ１            差し込み片の幅
Ｗ２            係止部の間隔
【図１】
2017100750.tif 000003
【図２】
2017100750.tif 000004
【図３】
2017100750.tif 000005
【図４】
2017100750.tif 000006
【図５】
2017100750.tif 000007
【図６】
2017100750.tif 000008
【図７】
2017100750.tif 000009
【図８】
2017100750.tif 000010
【図９】
2017100750.tif 000011
【図１０】
2017100750.tif 000012
【図１１】
2017100750.tif 000013
【図１２】
2017100750.tif 000014
【図１３】
2017100750.tif 000015